(57)【要約】    【課題】  フィルタの取付ミスや取付確認もれ等による不具合を防止することができると共に適切な時期にフィルタ交換可能な集塵装置及びその制御方法を提供する。    【解決手段】  複数のフィルタが着脱可能に取り付けられた取付プレートと、該取付プレートが集塵装置内の所定の位置に固定されたことを検知するセンサと、集塵装置の作動中における前記センサからの信号を受けている時間を計測して積算するタイマと、該タイマで積算された時間が予め設定された前記フィルタの交換時間に到達した場合に表示する表示手段と、を具備する。【選択図】    図１
2006136787.tif 000002
【特許請求の範囲】
【請求項１】
複数のフィルタが着脱可能に取り付けられた取付プレートと、該取付プレートが集塵装置内の所定の位置に固定されたことを検知するセンサと、集塵装置の作動中における前記センサからの信号を受けている時間を計測して積算するタイマと、該タイマで積算された時間が予め設定された前記フィルタの交換時間に到達した場合に表示する表示手段と、を具備することを特徴とする集塵装置。
【請求項２】
複数のフィルタが着脱可能に取り付けられた取付プレートが集塵装置内の所定の位置に固定されたことをセンサで検知する工程と、集塵装置の作動中における前記センサからの信号を受けている時間をタイマで計測して積算する工程と、該タイマで積算された時間が予め設定された前記フィルタの交換時間に到達した場合に表示手段に表示する工程と、を有することを特徴とする集塵装置の制御方法。
【発明の詳細な説明】
【技術分野】
【０００１】
本発明は、集塵装置及びその制御方法に関する。
【背景技術】
【０００２】
従来、フィルタに付着した粉塵をエアブローで払い落とすタイプの集塵装置は公知にされている（例えば、特許文献１参照）。
【０００３】
【特許文献１】特開平８−３８８３８号公報（第２頁、第１−３図）
【発明の開示】
【発明が解決しようとする課題】
【０００４】
しかし、従来の集塵装置においてフィルタ取付の確認は人による確認に頼っているため、フィルタの取付ミスや取付確認もれ等により粉塵が排気側に漏れるなどの問題がある。またフィルタの交換は、管理担当者が管理記録（フィルタ交換記録等）に基づいて交換を行うのが一般的であるが、管理記録に記録するのを忘れるなどの人為的なミスにより適切な時期にフィルタの交換ができないという問題がある。
【０００５】
本発明は、上記の問題に鑑みて成されたもので、フィルタの取付ミスや取付確認もれ等による不具合を防止することができると共に適切な時期にフィルタ交換可能な集塵装置及びその制御方法を提供することを目的とする。
【課題を解決するための手段】
【０００６】
上記の目的を達成するために本発明における集塵装置は、複数のフィルタが着脱可能に取り付けられた取付プレートと、該取付プレートが集塵装置内の所定の位置に固定されたことを検知するセンサと、集塵装置の作動中における前記センサからの信号を受けている時間を計測して積算するタイマと、該タイマで積算された時間が予め設定された前記フィルタの交換時間に到達した場合に表示する表示手段と、を具備することを特徴とする。
【０００７】
また上記の目的を達成するために本発明における集塵装置の制御方法は、複数のフィルタが着脱可能に取り付けられた取付プレートが集塵装置内の所定の位置に固定されたことをセンサで検知する工程と、集塵装置の作動中における前記センサからの信号を受けている時間をタイマで計測して積算する工程と、該タイマで積算された時間が予め設定された前記フィルタの交換時間に到達した場合に表示手段に表示する工程と、を有することを特徴とする。
【発明の効果】
【０００８】
本発明は、複数のフィルタが着脱可能に取り付けられた取付プレートと、該取付プレートが集塵装置内の所定の位置に固定されたことを検知するセンサと、集塵装置の作動中における前記センサからの信号を受けている時間を計測して積算するタイマと、該タイマで積算された時間が予め設定された前記フィルタの交換時間に到達した場合に表示する表示手段と、を具備するようにしたから、フィルタの取付ミスや取付確認もれ等による不具合を防止することができると共に適切な時期にフィルタ交換することが可能になる等種々の効果がある。
【発明を実施するための最良の形態】
【０００９】
以下、本発明の実施の形態を図面に基づいて詳しく説明する。図１において、集塵装置Ｓ内は下半部が除塵室１になっており、上半部が清浄気体室２になっている。そして、該除塵室１内には複数の円筒型のフィルタ３、３が収納されるようになっている。なお該フィルタ３、３は、下端が蓋部材３ａにより塞がれており、上端には開口３ｂが設けられている（図２参照）。そして、該フィルタ３、３は取付プレート４の下端に着脱可能に取り付けられており、図１に示すように取付プレート４とともに前記除塵室１内に挿入されて収納される。なお該取付プレート４は前記除塵室１の内側壁に固定された案内部材５、５に沿って挿入される。
【００１０】
また本発明では前記取付プレート４が集塵装置Ｓ内の所定の位置に固定されたこと検知するようになっており、この点につき、詳述する。図２に示すように、集塵装置Ｓ内には、水平方向に伸びる回動フレーム６が配設されており、該回動フレーム６の中央には軸部材７が貫通されている。そして、該軸部材７の両端は軸受部材８で軸支されており、前記回動フレーム６は軸部材７を中心にして自由に回動されるようになっている。
【００１１】
そして、該回動フレーム６の一端の下部には、高さ調整可能なストッパ９が連結されており、他端の下方には、前記取付プレート４が集塵装置Ｓ内の所定の位置に固定されたことを検知するセンサとしてのリミットスイッチ１０が配設されている。また前記取付プレート４の上部周縁には全周に亘ってパッキン１１が貼着されており、該パッキン１１の上方には全周に亘って押え部材１２が配設されている。そして、前記ストッパ９の下方には板部材１３が配設されており、該板部材１３は前記取付プレート４の上部に固定されている。
【００１２】
また図２は前記フィルタ３、３を取り付けた取付プレート４を前記除塵室１内に案内部材５、５に沿って挿入した時の状態を示している。この状態で該取付プレート４を図示されない締結手段で該除塵室１内に締結固定すると、これに伴って該取付プレート４が上昇する。そうすると該取付プレート４の上部に固定された前記板部材１３が前記ストッパ９を押し上げ、前記回動フレーム６が軸部材７を中心にして時計回りに回動し、該回動フレーム６の他端で前記リミットスイッチ１０をオン（ＯＮ）させる（図３参照）。このオン信号により前記取付プレート４が集塵装置Ｓ内の所定の位置に固定されたことを検知する。また、この際、前記パッキン１１は前記押え部材１２に押圧される。
【００１３】
なお前記リミットスイッチ１０は、集塵装置Ｓの作動中における前記リミットスイッチ１０からのオン信号を受けている時間を計測して積算するタイマ１４に電気的に接続されている。また該タイマ１４は、該タイマ１４で積算された時間が予め設定された前記フィルタ３、３の交換時間に到達した場合に表示する表示手段１５（図１参照）に電気的に接続されている。
【００１４】
このように構成されたものの作動について説明する。まず、上述したように、フィルタ３、３を取り付けた取付プレート４を除塵室１内に案内部材５、５に沿って挿入する。そして、取付プレート４を前記図示されない締結手段で除塵室１内に締結固定すると、上述したようにリミットスイッチ１０がオンする。これにより、前記取付プレート４が集塵装置Ｓ内の所定の位置に固定されたことを検知する。
【００１５】
次に、この状態で集塵装置Ｓを作動させる。そうすると、清浄気体室２内に配設された送風機（図示せず）の吸引作用を受けて、含塵気体が入口部１ａから除塵室１内に流入される。そして、除塵室１内に流入された含塵気体はフィルタ３、３の外側から該フィルタ３、３の内部に流入する。この際、含塵気体中の粉塵がフィルタ３、３外表面に付着することにより除塵が成される。そして、該フィルタ３、３の内部に流入した気体は、取付プレート４に設けられた複数の開口４ａ、４ａから清浄気体として清浄気体室２内に流入する。その後、該清浄気体室２内に流入された該清浄気体は前記送風機によって出口部２ａから装置外に排出される。
【００１６】
また上述した作動中にフィルタ３、３外表面への粉塵の付着量は増加していく。このため、フィルタ３、３上方に配設されたパルスジェット機構（図示せず）により該フィルタ３、３内部に圧縮エアが間欠的に吹き込まれる。これによりフィルタ３、３外表面の付着粉塵が剥離される。
【００１７】
なお本発明では集塵装置Ｓを作動させると、該集塵装置Ｓの作動中における前記リミットスイッチ１０からのオン信号を受けている時間をタイマ１４で計測して積算する。そして、該タイマ１４で積算された時間が予め設定された前記フィルタ３、３の交換時間に到達した場合に表示手段１５に表示し、この表示に基づいてフィルタ３、３を交換するため、適切な時期にフィルタ３、３を交換することができる。
【００１８】
該フィルタ３、３を交換をするには、前記図示されない締結手段による取付プレート４の締結固定を解除し、該取付プレート４を下降させる。この状態（図２参照）でフィルタ３、３を取り付けた取付プレート４を案内部材５、５に沿って装置外に引き出せば該フィルタ３、３は交換することができる。
【００１９】
また上述のように取付プレート４の締結固定を解除し、該取付プレート４を下降させると、前記板部材１３が下降し、これに伴ってストッパ９の重みで回動フレーム６が軸部材７を中心にして反時計回りに回動し、リミットスイッチ１０がオフ（ＯＦＦ）する（図２参照）。これにより、タイマ１４はリセットされる。本発明では、このようにフィルタ３、３を交換しないとタイマ１４はリセットされず、タイマ１４のみを強制的にリセットすることはできないようになっている。
【図面の簡単な説明】
【００２０】
【図１】本発明の実施形態を示す全体図である。
【図２】集塵装置内の一部を示す詳細図であって、取付プレートを所定位置に固定する前の状態を示す図である。
【図３】集塵装置内の一部を示す詳細図であって、取付プレートが所定位置に固定された状態を示す図である。
【符号の説明】
【００２１】
３  フィルタ
４  取付プレート
１０  センサ
１４  タイマ
１５  表示手段
Ｓ  集塵装置
【図１】
2006136787.tif 000003
【図２】
2006136787.tif 000004
【図３】
2006136787.tif 000005